(57)【特許請求の範囲】
【請求項１】
被検体に投与された放射線同位元素から放射される放射線を検出する１以上の放射線検出器と、
リング形状を有し、その内周側に前記放射線検出器が取り付けられる架台と、
前記架台を旋回させる旋回機構と、
前記被検体を寝かせるための天板を有する寝台と、
前記架台を、前記寝台に寝た状態の被検体の体軸方向に移動させるための走行機構と、
前記放射線検出器を前記架台の前記リング形状のリング軸方向に移動させる移動機構と、を備え、
前記架台の前記リング形状の外側に他の寝台が設置可能にされており、
前記寝台が取り外され前記被検体が前記他の寝台に寝かせられた場合、前記架台を旋回させることで、前記架台の前記リング軸を前記被検体の前記体軸方向と直交する方向に向け、かつ前記放射線検出器を前記リング軸の方向にある前記被検体の所定部位へスライド移動させて近づけて、前記放射線を検出する、ことを特徴とする核医学診断装置。
【請求項２】
前記放射線検出器は、テルル化カドミウムまたはテルル化カドミウム亜鉛によって構成される半導体セルを有することを特徴とする請求項１に記載の核医学診断装置。
【請求項３】
前記放射線検出器は、ヨウ化セシウムおよびホトダイオードを組み合わせて構成されることを特徴とする請求項１又は２のいずれか一つに記載の核医学診断装置。
【請求項４】
前記放射線検出器は、シンチレーション検出器であることを特徴とする請求項１〜３のいずれか一つに記載の核医学診断装置。
【発明の詳細な説明】
【０００１】
【発明の属する技術分野】
本発明は、患者などの被検体に注入された放射性同位元素（ラジオアイソトープ、ＲＩ）によって放出されるガンマ（γ）線のような放射線を１次元または２次元的に検出することにより患者内のＲＩ分布を取得するための核医学診断装置に関する。
【０００２】
【従来の技術】
例えば、患者などの被検体に放射性同位元素（ラジオアイソトープ、ＲＩ）を注入し、その体内から放出されるガンマ線（γ）のような放射線を１次元または２次元検出器によって検出して患者のＲＩ分布を取得することにより、体内の病変部、血流量、脂肪酸代謝量などの機能分布像を表示するシングルフォトンエミッションコンピュータ断層法（ＳＰＥＣＴ）を用いたＳＰＥＣＴ装置や、複数の検出器を備え、ポジトロン（陽電子）がエレクトロン（陰電子）と結合して消滅する際に１８０°方向に放出されるガンマ線を同時検出してイメージングを行う同時計数ポジトロンエミッションコンピュータ断層法（ＰＥＴ）を用いた同時計数ＰＥＴ装置が知られている。また、最近では、ＳＰＥＣＴと同時計数ＰＥＴを行うために複数の検出器を備えたＳＰＥＣＴ／ＰＥＴ兼用装置が知られるようになってきている。これらの装置全般を核医学診断装置と総称する。
【０００３】
図１は従来の２つの放射線検出器を対向配置させた放射線検出システムを備えた核医学診断装置の外観構成を示す図であり、図１（ａ）はその側面図、図１（ｂ）は図１（ａ）に示す矢印ａの方向から見た正面図を示している。図１（ａ）および図１（ｂ）に示す従来の核医学診断装置は、架台１と、架台１を移動させるための架台移動レール２と、患者を挟んで対向配置した２つのアンガー型の放射線検出器３、４と、架台１に取り付けられ、放射線検出器３、４を支持するアーム５ａ、５ｂと、患者を寝かせるための天板６ａを備えた寝台６と、寝台６を支えるための寝台支柱７とを有している。
【０００４】
放射線検出器３、４の重量はそれぞれ２００Ｋｇから４００Ｋｇの範囲内である。また、放射線検出器３、４を支持するアーム５ａ、５ｂや架台１自体の重量は総計で１５００Ｋｇから２０００Ｋｇになる。そのため、このような重量を有する架台１に対してチルト動作させることは困難である。従って、図１に示すように、通常、寝台６に設けられた天板６ａに患者を寝かせ、ドーム８内に患者を導いた後に画像収集が行われる。
【０００５】
【発明が解決しようとする課題】
ところで、従来のＳＰＥＣＴやＰＥＴを用いた断層像検査においては、患者を寝台に寝かせた状態で断層像撮影を行っている。
【０００６】
なお、様々な収集を行うために患者の姿勢は限定されるので、例えば、患者の心臓のＳＰＥＣＴ収集を行って断層像を取得する場合においては、その心臓部に腕が重なると、腕の存在により放射線が吸収されるので心臓部の画像が劣化してしまう。そのため、図１（ａ）において右側に頭を向けた状態で患者を天板６ａに寝かせ、腕を頭の上に大きく上げた状態で心臓に腕がかからないようにして（心臓と放射線検出器３、４との間に腕が位置しないようにして）心臓の断層像を収集しなければならない。これにより、患者は長時間にわたって不自然な姿勢を強いられ、患者に対して大変な負担がかかることになる。
【０００７】
また、患者を寝かせるための天板６ａはその厚さが厚くガンマ線の吸収が大きいので、得られる画像が劣化するという問題がある。
【０００８】
さらに、患者を天板に寝かせた状態では、患者の肝臓と心臓の位置が近接しているため、心臓の断層像において肝臓からの放射線が画像に悪影響を与えることが知られている。従って、例えば心臓ストレス試験を行うためにエルゴメータを設置することは非常に困難であった。
【０００９】
さらにまた、頭部ＳＰＥＣＴ収集を行う場合においても、図１（ａ）の左側に頭を向けた状態で天板６ａが少し高くなっている部分６ａ´に頭を置き、患者を寝台７に寝かせた状態でヘッドレスト（図示しない）に頭部を固定した後、放射線検出器３、４が頭部収集可能位置に配置されるように架台７を移動させている。この場合、患者の頭部にはサイズが大きい放射線検出器３、４が設置され、かつ患者に放射線検出器３、４が近接することによる圧迫感、閉塞感などを与えるので、患者に無用な緊張感が生じた中で収集が行われる。従って、患者の頭部の活性状態をリラックスさせて計測するのは困難であり、本来の頭部の機能試験を行うことができないという問題がある。
【００１０】
また、従来の核医学診断装置においてマンモＳＰＥＣＴ収集または静止画像収集を行う場合、女性の患者の乳房部の周囲に放射線検出器を移動させる必要があるが、放射線検出器の有効視野の端から放射線検出器の外形までの距離が４０ｍｍ以上あるため、放射線検出器の位置の設定が制約され、実際上、放射線検出器を移動させることは不可能であった。
【００１１】
さらに、例えば、放射線検出器の有効視野の端から放射線検出器の外形までの距離が短い場合においても、架台をチルト動作させることができないため、患者をうつぶせにした状態で乳房部を下向きにして収集することは不可能であった。そのため、実質的に患者をマンモＳＰＥＣＴ収集が可能な位置に位置決めすることはできず、ＳＥＰＣＴ収集を行うことができなかった。
【００１２】
さらにまた、従来の２つの放射線検出器を備えた核医学診断装置においては、放射線検出器が有効視野と比較して大きくなることや架台の機械的動作に制限が多いことが原因となり、２つの放射線検出器を同時に用いて患者の座位状態で静止画像を収集することは困難である。従って、１つの放射線検出器を９０゜外向きにした状態で、もう１つの放射線検出器のみを患者について回転動作させ、回転動作させた１つの放射線検出器による収集を行う場合がほとんどである。
【００１３】
本発明は上記事情に鑑みてなされたものであり、本発明の目的は、患者が楽な姿勢をとることができる状態でその患者の頭部や心臓などの各部位の核医学情報を収集することが可能な核医学診断装置を提供することにある。
【００１４】
【問題を解決するための手段】
上記問題を解決するために、請求項１に記載の発明の核医学診断装置は、被検体に投与された放射線同位元素から放射される放射線を検出する１以上の放射線検出器と、リング形状を有し、その内周側に前記放射線検出器が取り付けられる架台と、前記架台を旋回させる旋回機構と、前記被検体を寝かせるための天板を有する寝台と、前記架台を、前記寝台に寝た状態の被検体の体軸方向に移動させるための走行機構と、前記放射線検出器を前記架台の前記リング形状のリング軸方向に移動させる移動機構と、を備え、前記架台の前記リング形状の外側に他の寝台が設置可能にされており、前記寝台が取り外され前記被検体が前記他の寝台に寝かせられた場合、前記架台を旋回させることで、前記架台の前記リング軸を前記被検体の前記体軸方向と直交する方向に向け、かつ前記放射線検出器を前記リング軸の方向にある前記被検体の所定部位へスライド移動させて近づけて、前記放射線を検出する、ことを特徴とする核医学診断装置。
【００２２】
上記請求項１に記載の発明の核医学診断装置において、請求項２に記載の発明は、前記放射線検出器は、テルル化カドミウムまたはテルル化カドミウム亜鉛によって構成される半導体セルを有することを特徴とする。
【００２３】
上記請求項１又は２に記載の発明の核医学診断装置において、請求項３に記載の発明は、前記放射線検出器は、ヨウ化セシウムおよびホトダイオードを組み合わせて構成されることを特徴とする。
【００２４】
上記請求項１〜３のいずれか一つに記載の発明の核医学診断装置において、請求項４に記載の発明は、前記放射線検出器は、シンチレーション検出器であることを特徴とする。
【００２９】
上記請求項１または２に記載の発明の核医学診断装置において、請求項１６に記載の発明は、前記架台の片側または両側を支持する支持手段を備えたことを特徴とする。
【００３２】
【発明の実施の形態】
以下、本発明の実施の形態について図面を参照して説明する。
【００３３】
（実施の形態１）
図２は本発明の第１の実施の形態の核医学診断装置で用いられる放射線検出システムの外観構成を示す図、図３は本発明の第１の実施の形態の放射線検出システムを備えた核医学診断装置の構成を示すブロック図である。
【００３４】
図２および図３において、本発明の第１の実施の形態の放射線検出システムを備えた核医学診断装置は、患者のような被検体から放出されるガンマ（γ）線のような放射線を検出してＳＰＥＣＴ収集やＰＥＴ収集などの種々の核医学情報の収集を行う架台部２０と、検査室などの部屋の床面に設けられ、架台部２０をその床面に沿って患者の体軸方向に走行させるための走行レール２１と、患者を寝かせるための寝台部２２と、キーボード、マウスなどによって構成され、核医学情報の収集に必要なコマンドやデータなどを入力する入力ユニット５０と、架台部２０によって得られた核医学情報を基に画像生成を行う画像生成ユニット５１と、ブラウン管（ＣＲＴ）ディスプレイ、液晶ディスプレイなどによって構成され、画像生成ユニット５１によって生成された種々の画像を表示する表示ユニット５２と、核医学診断装置全体の制御を行う制御ユニット５３とを備えている。
【００３５】
架台部２０は、患者を挟んで対向配置され、患者からの放射線を検出し、検出した放射線を電気信号に変換して所定の信号処理を行う信号処理部３１ａ、３１ｂを有する放射線検出器３０、３１と、図示しない支持アームを介して放射線検出器３０、３１が内周側に取り付けられるリング状の架台３２と、支持アームなどにより放射線検出器３０、３１を移動させる移動機構４０、４１と、架台３２の片側を支持するオーバーハング状の架台支持アーム３３と、架台３２を所定のチルト角度θ（床面に対して架台３２が垂直な状態を０゜、架台３２が水平な状態を９０゜とした場合、０゜から±９０゜の範囲内、すなわち、０゜から１８０゜の範囲内）で所定のチルト方向（矢印Ｂ方向）にチルトするチルト機構３４と、架台支持アーム３３を回転方向（矢印Ｃ方向）に９０゜回転させ、架台支持アーム３３を上下方向（矢印Ｄ方向）に移動させるアーム回転／移動機構３５と、走行レール２１上を走行可能に設けられ、チルト機構３４、架台支持アーム３３、およびアーム回転／移動機構３５を介して架台３２を保持するベース部３７と、ベース部３７を走行させるための走行機構３８と、図示しない固定リングに回転可能に設けられ、患者の周りを回転する回転リング３９と、回転リング３９をその軸（リング軸）を中心にして回転させるための回転機構３６とを備えている。
【００３６】
寝台部２２は、患者を寝かせるための取り外し可能な天板２２ａを有する寝台２２ｂと、寝台２２ｂを支持する寝台支持部２２ｃと、寝台支持部２２ｃにより寝台２２ｂを上下方向（矢印Ｅ方向）に移動させる寝台移動機構２０ｄとによって構成されている。
【００３７】
放射線検出器３０、３１としては、従来の核医学診断装置に用いられているアンガー型ではなく、半導体検出器（テルル化カドミウム亜鉛（ＣｄＺｎＴｅ）、テルル化カドミウム（ＣｄＴｅ）などの半導体を用いて複数の半導体セルを配列することによって構成されている）、またはシンチレータ（ヨウ化ナトリウム（ＮａＩ）、ヨウ化セシウム（ＣｓＩ）など）とホトダイオードを組み合わせた方式のシンチレーション検出器を用いており、従来のアンガー型の放射線検出器と比較して小型軽量である。そのため、従来のアンガー型の放射線検出器を支持する架台全体の重量と比較して、本発明の第１の実施の形態の核医学診断装置に用いられている架台を１／３から１／４の範囲内の重量で構成することが可能である。従って、従来では、架台全体をチルトさせることはその重量の点から不可能であったが、本発明の第１の実施の形態では、架台全体の軽量化を図ったことにより、架台全体をチルトさせる機構（すなわちチルト機構３４）を実現することが容易となる。
【００３８】
なお、放射線検出器３０、３１は、患者に対して凹状の検出面を有しているが、例えば平面状に構成することも可能である。
【００３９】
上述したように、本発明の第１の実施の形態では、オーバーハング状の架台支持アーム３３によって架台３２を支持させた状態で架台２２をチルト機構３４によりチルトさせる。また、アーム回転／移動機構３５によって架台支持アーム３３を保持して上下方向に移動させ、回転させる。さらに、走行レール２１上をベース部３７が走行することによって架台全体を移動させる。これにより、例えば患者の所定部位のＳＰＥＣＴ収集や静止画像収集などを実行可能な位置に放射線検出器を配置させることができる。
【００４０】
なお、本発明の第１の実施の形態では、架台の片側のみを支持する架台支持アームを用いて１点支持構造としているが、架台の両側を支持する２点支持構造として安定感を有するようにすることも可能である。以下、架台の両側が支持されている２点支持構造の放射線検出システムにおける架台の配置例について説明する。
【００４１】
図４から図６は本発明の第１の実施の形態の架台の両側が支持されている放射線検出システムの外観構成およびその配置例を示す図である。なお、図４は患者Ｐの頭部のＳＰＥＣＴ収集などを行う場合の配置状態、図５は患者Ｐの心臓部のＳＰＥＣＴ収集などを行う場合の配置状態、図６は患者Ｐの足部のＳＰＥＣＴ収集を行う場合の配置状態を示している。
【００４２】
図４から図６において、本発明の第１の実施の形態の架台の両側が支持されている放射線検出システムは、架台支持アームやベース部などを除いて、上述した図３に示す放射線検出システムと同様な構成および機能を有し、患者Ｐを寝かせるための天板を有する寝台６０と、寝台６０を支持して上下方向に移動させるための寝台移動機構６１ａ、６１ｂと、リング状の架台６２と、患者Ｐを挟んで対向配置され、架台６２の内周側に移動可能に取付られている放射線検出器３０、３１と、架台６２を支持してチルト可能なベース部６３とを備えている。
【００４３】
図４から図６に示すように、寝台６０の天板に患者Ｐを寝かせ、ベース部６３を走行レール２１に沿って患者Ｐの頭部、心臓部、足部などの所定部位について核医学情報を収集可能な位置まで走行させる。その後、架台６２に取り付けられている放射線検出器３０、３１を患者Ｐに接近させた状態で核医学情報の収集を行う。この時、断層像を取得する場合には、放射線検出器３０、３１が患者Ｐの周りを移動するように動作制御を行う。
【００４４】
患者Ｐの全身について核医学情報の収集を行う場合には、ベース部６３を走行レール２１に沿って走行させながら放射線検出器３０、３１によって患者Ｐからの放射線を検出する。
【００４５】
また、必要に応じて、図示しないチルト機構により架台６２を所定のチルト角度でチルトさせて核医学情報の収集を行う。
【００４６】
このような動作により、放射線検出器を患者の種々の部位に近接して配置することができ、空間分解能や検出感度を向上させることが可能となる。
【００４７】
図７は本発明の第１の実施の形態の架台の両側が支持されている放射線検出システムの他の配置例を示す図である。図７に示すように、寝台６０を取り外した後、患者Ｐを搬送可能な寝台として用いられ、高さを調整可能なストレッチャー６５を放射線検出システムに隣接させる。次に、走行レール２１上のベース部６３を９０度旋回させて患者Ｐが寝ているストレッチャー６５の方に向きを変え、ベース部６３をストレッチャー６５に近づける。さらに、架台６２に取り付けられている放射線検出器３０を移動機構６６により架台６２のリング軸方向（回転リングのリング軸の方向）に沿って患者Ｐの正面側にスライド移動させた後、放射線検出器３０を患者Ｐに近接させた状態で核医学情報を収集する。もちろん、図７では図示していないが、放射線検出器３１についても移動機構により架台６２のリング軸方向に沿って患者Ｐの背面側にスライド移動させた後、放射線検出器３１を患者Ｐに近接させた状態で核医学情報を収集する。
【００４８】
以上の動作により、ストレッチャー６５に寝ている患者Ｐを寝台６０に移すことなく核医学情報の収集が可能となるため、患者Ｐにかかる負担を軽減できる。また、放射線検出器を患者Ｐに近接させることができるため、空間分解能や検出感度が向上した核医学情報を収集を行うことが容易となる。
【００４９】
なお、図７に示すように患者Ｐをストレッチャー６５（または寝台）に寝かせ、放射線検出器３０、３１を患者Ｐに近接させた状態で架台６２を走行レール２１に沿って走行させることにより、患者Ｐのホールボディ収集を行うことも可能である。
【００５０】
（実施の形態２）
図８は本発明の第２の実施の形態の核医学診断装置に用いられる放射線検出システムの外観構成を示す図、図９は本発明の第２の実施の形態の放射線検出システムを備えた核医学診断装置の構成を示すブロック図である。なお、図８は架台を所定のチルト角度でチルトさせている状態を示している。
【００５１】
図８および図９に示すように、本発明の第２の実施の形態は、基本的には、本発明の第１の実施の形態の放射線検出システムを備えた核医学診断装置と同様な構成を有しているが、患者を寝かせるための寝台を用いる代わりに、患者を座らせた状態で患者の頭部や心臓部のＳＰＥＣＴ収集などの核医学情報の収集を行うために用いられる取り外し可能な専用の椅子５５と、椅子５５の座部を上下方向（矢印Ｆ方向）に移動させるための椅子移動機構５６とが設けられている。
【００５２】
なお、椅子５５には、着脱可能なアームレスト５５ａが設けられている。従って、アームレスト５５ａに患者の腕を保持することにより、患者にとっては楽な姿勢がとれるので、患者にかかる負担を軽減することができ、また、例えば患者の心臓部における核医学情報の収集においては患者の腕が妨げとはならないので、得られる画像の劣化を防止することができる。
【００５３】
本発明の第２の実施の形態では、本発明の第１の実施の形態と同様に架台の片側のみを支持する架台支持アームを用いて１点支持構造としているが、架台の両側を支持する２点支持構造とすることも可能である。以下、架台の両側が支持されている２点支持構造の放射線検出システムにおける架台の配置例について説明する。
【００５４】
図１０および図１１は本発明の第２の実施の形態の核医学診断装置に用いられる架台の両側が支持されている放射線検出システムの外観構成およびその配置例を示す図である。なお、図１０は患者Ｐの頭部の核医学情報を収集する場合の配置状態、図１１は患者Ｐの心臓部の核医学情報を収集する場合の配置状態を示している。
【００５５】
図１０および図１１において、本発明の第２の実施の形態の架台の両側が支持されている放射線検出システムは、架台支持アームやベース部などを除いて、上述した図９に示す放射線検出システムと同様な構成および機能を有し、患者Ｐを座らせるアームレスト５７ａを有する椅子５７と、リング状の架台６２と、患者Ｐを挟んで対向配置され、架台６２の内周側に移動可能に取付られている放射線検出器３０、３１と、架台６２を支持してチルト可能なベース部６３とを備えている。
【００５６】
図１０および図１１に示すように、走行レール２１上のベース部６３を９０゜旋回させて向きを変える。その後、患者Ｐを椅子５７に座らせた状態で椅子５７の高さを調整する。また、架台６２を上下方向に移動させ、所定のチルト角度にチルトさせる。さらに、放射線検出器３０、３１を近接させて患者Ｐの頭部や心臓部の核医学情報の収集を行う。なお、図１１に示すように患者Ｐの心臓部の核医学情報を収集する場合には、椅子５７にアームレスト５７ａを取り付けてアームレスト５７ａに患者Ｐの腕を保持する。
【００５７】
なお、この時、患者Ｐの頭部や心臓部の断層像を取得する場合には、放射線検出器３０、３１が患者Ｐの周りを移動するような動作制御を行う。
【００５８】
従って、以上のような動作により、患者Ｐが楽な姿勢をとった状態で、また放射線検出器が近接することによる圧迫感などを与えることなくリラックスした状態で、頭部や心臓のＳＰＥＣＴ収集などを行うことができる。また、患者の頭部の断層撮影においては患者が圧迫感などを受けずに安心した状態を得ることができるため、例えば頭部の機能を調べるための刺激試験を自然な状態を行うことが可能となる。
【００５９】
なお、上述した専用の椅子は、本発明の第１の実施の形態において天板を取り外すことにより設置可能であり、天板に移し替えることが困難な患者に対してもＳＰＥＣＴ収集などを容易に行うことができる。
【００６０】
また、患者が上述した専用の椅子に座った状態で心臓のＳＰＥＣＴ収集を行う場合には、患者の肝臓が重力方向に移動して肝臓が心臓と重なる部分が少なくなるので、心臓部分の画像の劣化を極力防止することができる。さらに、このような専用の椅子の背もたれ部を薄くして機械的な強度を小さくすることが可能であり、背もたれ部において例えば放射線の吸収係数の小さい材料がコーティングされた布を用いることができる。これにより、放射線の吸収を少なくして得られる画像の劣化を極力防止することが可能な心臓ＳＰＥＣＴ収集を行うことが可能となる。
【００６１】
さらに、例えば従来の心臓ＳＰＥＣＴ収集において心臓に対する負荷試験を行うことが困難であった。しかし、上述した専用の椅子においては例えば負荷試験のためのエルゴメータと組み合わせて用いることができるので、心臓に対する負荷試験とともに心臓ＳＰＥＣＴ収集を行う環境を提供することができる。また、専用の椅子に患者を座らせて楽な姿勢をとった状態で、２つの放射線検出器を用いることにより肺野から肝臓野までのＳＰＥＣＴ収集を行うことが可能となる。
【００６２】
もちろん、上述した専用の椅子を用いることなく、通常の車椅子を用いても部位は限定されるがＳＰＥＣＴ収集などを行うことが可能となる。また、専用の椅子について可動性を良くすることにより、病室のベットルームからこの専用の椅子を利用して患者を移動させ、検査室において患者の移し替えの作業なしにＳＰＥＣＴ収集を行うことができる。
【００６３】
また、上述した専用の椅子の背もたれ部が女性の患者の乳房部にかからないように、背もたれ部がざくられた形状（一部が欠けている形状）とし、患者をうつぶせにした状態でかつ架台を９０゜に近いチルト角度でチルトさせることにより、マンモＳＰＥＣＴ収集やマンモＰＥＴ収集などを行うことが容易となる。
【００６４】
（実施の形態３）
図１２は本発明の第３の実施の形態の核医学診断装置に用いられる架台が天井に取り付けられている放射線検出システムの外観構成およびその配置例を示す図である。本発明の第３の実施の形態の放射線検出システムは、基本的には、本発明の第１の実施の形態の放射線検出システムと同様な構成を有しているが、架台３２を検査室などの部屋の天井８０に取り付けて支持部７０により支持している。
【００６５】
図１２においては、寝台部２２の天板２２ａに患者Ｐを寝かせた状態で、図示しない走行レール上を支持部７０が走行し、患者Ｐの所定部位まで架台３２を移動させる。また、必要に応じて、図示しないチルト機構により架台３２をチルトさせる。その後、放射線検出器３０、３１を患者Ｐに近接させて核医学情報の収集を行うことになる。
【００６６】
図１３は本発明の第３の実施の形態の核医学診断装置に用いられる架台が天井に取り付けられている放射線検出システムの他の外観構成およびその配置例を示す図である。図１３においては、寝台部２２に患者Ｐを移し替えて寝かせることなく、ストレッチャー６５を架台３２に近づける。さらに、架台３２に取り付けられている放射線検出器３０、３１を移動機構７１、７２により患者Ｐの正面側および背面側にスライド移動させた後、放射線検出器３０、３１を患者Ｐに近接させた状態で核医学情報の収集を行うことになる。
【００６７】
なお、図１７に示すように患者Ｐをストレッチャー６５（または寝台）に寝かせ、放射線検出器３０、３１を患者Ｐに近接させた状態で架台３２を走行レールに沿って走行させることにより、患者Ｐのホールボディ収集を行うことも可能である。
【００６８】
以上のような動作により、架台を天井に取り付けた場合においても種々の核医学情報を容易に収集することができる。
【００６９】
（実施の形態４）
図１４は本発明の第４の実施の形態の核医学診断装置に用いられる放射線検出システムの外観構成およびその配置例を示す図である。本発明の第４の実施の形態の放射線検出システムは、ベース部８０と、ベース部８０に設けられた支柱８１と、支柱８１に上下方向に移動可能に取付られたＣ状アーム８２と、Ｃ状アーム８２に取り付けられている２つの放射線検出器３０、３１と、患者Ｐを座らせるための専用の椅子８５とを備えている。なお、放射線検出器３０、３１はＣ状アーム８２のアーム方向に沿って移動可能に取り付けられている。また、Ｃ状アームは図示しないチルト機構によりチルト可能に構成されている。
【００７０】
図１４に示す放射線検出システムにおいては、患者Ｐを椅子８５に座らせた状態で椅子８５の高さを調整し、さらにＣ状アーム８２を上下方向に移動させる。また、アームレストに腕を保持した後、放射線検出器３０、３１を患者Ｐの例えば心臓部に近接させる。これにより、簡単な構成で患者Ｐの心臓部の核医学情報の収集を行うことが容易となる。
【００７１】
（実施の形態５）
本発明の第５の実施の形態の放射線検出システムの外観構成およびその配置例を示す図である。本発明の第５の実施の形態の放射線検出システムは、本発明の第４の実施の形態の放射線検出システムと同様な構成を有しているが、Ｃ状アームの代わりに、図示しないチルト機構によりチルト可能なリング８３に放射線検出器３０、３１を取り付けている。また、患者Ｐの心臓に対する負荷試験を実行可能とするために、エルゴメータ８４が設けられている。
【００７２】
図１５に示す放射線検出システムにおいては、患者Ｐを椅子８５に座らせた状態で椅子８５の高さを調整し、さらに、リング８３を上下方向に移動させる。また、アームレストに腕を保持した後、放射線検出器３０、３１を患者Ｐの例えば心臓部に近接させる。その後、エルゴメータ８４を用いて患者Ｐの心臓に対する負荷試験を行いながら患者Ｐの心臓部の核医学情報を収集する。これにより、負荷試験中の核医学情報の収集を容易に行うことができる。
【００７３】
【発明の効果】
以上、本発明によれば、放射線検出システムを備えた核医学診断装置において、上下方向に移動可能で、スライド移動可能な架台をチルトさせる機構および旋回させる機構を設けることにより、次のような効果が得られる。
【００７４】
（１）患者が非常に楽な姿勢をとりながらＳＰＥＣＴやＰＥＴなどの断層撮影を行うことが可能となる。
【００７５】
（２）例えば患者の心臓の核医学情報の収集において、肝臓からのクロストークを極力抑えることができるので、得られる画像の劣化を極力防止することが可能となる。
【００７６】
（３）例えば患者の心臓部の核医学情報の収集において、患者を椅子に座らせた場合に椅子の背もたれ部をその厚さを薄くして放射線の吸収係数が小さい材料で構成することにより、放射線の吸収を少なくして得られる画像の劣化を極力防止することができる。
【００７７】
（４）例えばエルゴメータによる患者の心臓に対する負荷試験を行いながら患者の心臓部の断層撮影を行うことができる。
【００７８】
（５）例えば患者の心臓部の核医学情報の収集において、患者を椅子に座らせ、アームレストを取り付けて患者の腕をアームレストで保持することにより、従来よりも患者を楽な姿勢にすることができ、患者にかかる負担を軽減することが可能となる。
【００７９】
（６）例えば患者の頭部の断層撮影において、患者が圧迫感などを受けずに安心した状態を得ることができるため、例えば頭部の機能を調べるための視覚刺激試験を自然な状態を行うことが可能となる。
【００８０】
（７）従来の核医学診断装置では不可能であったマンモ断層撮影や静止画収集を行うことができる。
【００８１】
（８）病院において患者のベットルームから検査室までの移動を専用の椅子やストレッチャーなどを用いて行うことにより、重傷患者においても検査のために移し替え動作を行うことなく収集を行うことができる。
【図面の簡単な説明】
【図１】従来の核医学診断装置で用いられる放射線検出システムの外観構成を示す図である。
【図２】本発明の第１の実施の形態の核医学診断装置に用いられる放射線検出システムの外観構成を示す図である。
【図３】本発明の第１の実施の形態の放射線検出システムを備えた核医学診断装置の構成を示すブロック図である。
【図４】本発明の第１の実施の形態の核医学診断装置に用いられる架台の両側が支持されている放射線検出システムの外観構成およびその配置例を示す図である。
【図５】本発明の第１の実施の形態の核医学診断装置に用いられる架台の両側が支持されている放射線検出システムの外観構成およびその配置例を示す図である。
【図６】本発明の第１の実施の形態の核医学診断装置に用いられる架台の両側が支持されている放射線検出システムの外観構成およびその配置例を示す図である。
【図７】本発明の第１の実施の形態の核医学診断装置に用いられる架台の両側が支持されている放射線検出システムの他の配置例を示す図である。
【図８】本発明の第２の実施の形態の核医学診断装置に用いられる放射線検出システムの外観構成を示す図である。
【図９】本発明の第２の実施の形態の放射線検出システムを備えた核医学診断装置の構成を示すブロック図である。
【図１０】本発明の第２の実施の形態の核医学診断装置に用いられる架台の両側が支持されている放射線検出システムの外観構成およびその配置例を示す図である。
【図１１】本発明の第２の実施の形態の核医学診断装置に用いられる架台の両側が支持されている放射線検出システムの外観構成およびその配置例を示す図である。
【図１２】本発明の第３の実施の形態の核医学診断装置に用いられる架台が天井に取り付けられている放射線検出システムの外観構成およびその配置例を示す図である。
【図１３】本発明の第３の実施の形態の核医学診断装置に用いられる架台が天井に取り付けられている放射線検出システムの他の外観構成およびその配置例を示す図である。
【図１４】本発明の第４の実施の形態の核医学診断装置に用いられる放射線検出システムの外観構成およびその配置例を示す図である。
【図１５】本発明の第５の実施の形態の核医学診断装置に用いられる放射線検出システムの外観構成およびその配置例を示す図である。
【符号の説明】
Ｐ  患者
２０  架台部
２１  走行レール
２２  寝台部
２２ａ  天板
２２ｂ、６０  寝台
２２ｃ  寝台支持部
２２ｄ、６１ａ、６１ｂ  寝台移動機構
３０、３１  放射線検出器
３１ａ、３１ｂ  信号処理部
３２、６２  架台
３３  架台支持アーム
３４  チルト機構
３５  アーム回転／移動機構
３６  回転機構
３７、６３、８０  ベース部
３８  走行機構
３９  回転リング
４０、４１、６６、７１、７２  移動機構
５０  入力ユニット
５１  画像生成ユニット
５２  表示ユニット
５３  制御ユニット
５５、５７、８５  椅子
５５ａ、５７ａ  アームレスト
５６  椅子移動機構
６５  ストレッチャー
８１  支柱
８２  Ｃ状アーム
８３  リング
８４  エルゴメータ
【図１】
0004445055.tif 000002
【図２】
0004445055.tif 000003
【図３】
0004445055.tif 000004
【図４】
0004445055.tif 000005
【図５】
0004445055.tif 000006
【図６】
0004445055.tif 000007
【図７】
0004445055.tif 000008
【図８】
0004445055.tif 000009
【図９】
0004445055.tif 000010
【図１０】
0004445055.tif 000011
【図１１】
0004445055.tif 000012
【図１２】
0004445055.tif 000013
【図１３】
0004445055.tif 000014
【図１４】
0004445055.tif 000015
【図１５】
0004445055.tif 000016